(57)【要約】【課題】低速送受信信号を用いてデータ通信を行う場合でも装置を小型化可能とする。【解決手段】給電アダプタ１０が、親機３１から出力された低速送信信号Ｔｘを高周波で変調送信信号Ｔｍに変調して電源供給線Ｌに重畳し、電源供給線Ｌに重畳されている変調受信信号Ｒｍを分離して低速受信信号Ｒｘに復調し、親機３１へ出力する。また、受電アダプタ２０が、対応子機３２から出力された低速送信信号Ｔｘを高周波で変調送信信号Ｔｍに変調して電源供給線Ｌに重畳し、電源供給線Ｌに重畳されている変調受信信号Ｒｍを分離して低速受信信号Ｒｘに復調し、対応子機３２へ出力する。【選択図】  図１
2019118011.tif 000002
【特許請求の範囲】
【請求項１】
複数の子機へ動作電源を供給する電源供給線に送受信信号を重畳することにより、親機と前記複数の子機との間でデータ通信を行う電源重畳通信システムであって、
前記親機と前記電源供給線との間に接続されて、外部から入力された外部電源から前記動作電源を生成し、前記電源供給線へ供給する給電回路を含む給電機器と、
前記複数の子機のそれぞれと前記電源供給線との間に接続されて、前記電源供給線から前記動作電源を受電して自己と対応する対応子機の子機電源を生成して出力する受電回路を含む受電機器とを備え、
前記給電機器は、前記親機から出力された低速送信信号を高周波で変調送信信号に変調して出力する変調回路と、前記変調送信信号を前記電源供給線に重畳するとともに、前記電源供給線に重畳されている変調受信信号を分離して出力する重畳・分離回路と、前記変調送信信号を低速受信信号に復調して前記親機へ出力する復調回路とをさらに含み、
前記受電機器は、前記対応子機から出力された低速送信信号を高周波で変調送信信号に変調して出力する変調回路と、前記変調送信信号を前記電源供給線に重畳するとともに、前記電源供給線に重畳されている変調受信信号を分離して出力する重畳・分離回路と、前記変調送信信号を低速受信信号に復調して前記対応子機へ出力する復調回路とをさらに含む
ことを特徴とする電源重畳通信システム。
【請求項２】
複数の子機へ動作電源を供給する電源供給線に送受信信号を重畳することにより、親機と前記複数の子機との間でデータ通信を行う電源重畳通信システムで、これら親機および子機からなる通信装置のそれぞれと前記電源供給線との間に接続される通信機器であって、
前記通信装置から出力された低速送信信号を高周波で変調送信信号に変調して出力する変調回路と、
前記変調送信信号を前記電源供給線に重畳するとともに、前記電源供給線に重畳されている変調受信信号を分離して出力する重畳・分離回路と、
前記変調受信信号を低速受信信号に復調して前記通信装置へ出力する復調回路と
を備えることを特徴とする通信機器。
【請求項３】
複数の子機へ動作電源を供給する電源供給線に送受信信号を重畳することにより、親機と前記複数の子機との間でデータ通信を行う電源重畳通信システムで、前記子機として用いられる通信装置であって、
前記親機へ送信する低速送信信号を高周波で変調送信信号に変調して出力する変調回路と、
前記変調送信信号を前記電源供給線に重畳するとともに、前記電源供給線に重畳されている変調受信信号を分離して出力する重畳・分離回路と、
前記変調受信信号を低速受信信号に復調して出力する復調回路と
を備えることを特徴とする通信装置。
【発明の詳細な説明】
【技術分野】
【０００１】
本発明は、電源を供給する電源供給線に送受信信号を重畳することによりデータ通信を行うための電源重畳通信技術に関する。
【背景技術】
【０００２】
一般に、工場、プラント、ビルなどの施設で用いられる管理システムでは、産業用コントローラなどの機器間を結ぶローカル通信ネットワークにおいて、ＯＳＩ参照モデルの物理層プロトコルとして、ＥＩＡ（Electronic Industries Alliance）規格：ＲＳ４８５が広く用いられている。特に、ビル管理システム（ＢＡＳ：Building Automation System）に代表されるビルシステム分野では、ＲＳ４８５ベースの通信プロトコルＢＡＣｎｅｔ（Building Automation and Control Networking protocol）  ＭＳ／ＴＰや、ＭＯＤＢＵＳ（登録商標）が、幅広く採用されている。
【０００３】
このようなローカル通信ネットワークによれば、システム構成によっては、接続ノード数が多く、ケーブルの配線距離が長い、天井裏配線などの複雑な工事もあり、配線工事費が高くなる場合がある。
このため、従来、送信側で信号を電源供給線に重畳させるとともに、受信側で電源供給線から信号を分離する技術が提案されている（例えば、特許文献１など参照）。これにより、電源供給線と信号線とを単一の配線とすることができ、配線工事費を削減することができる。
【先行技術文献】
【特許文献】
【０００４】
【特許文献１】特開２０１２−２４４６６９号公報
【発明の概要】
【発明が解決しようとする課題】
【０００５】
しかしながら、このような従来技術では、例えばＢＡＣｎｅｔ  ＭＳ／ＴＰの場合のような７６．８ｋｂｐｓ程度の、比較的低い通信速度の低速送受信信号を電源供給線に重畳させる場合、電源供給線に対して低速送受信信号を重畳・分離する際に必要となるローパスフィルタやハイパスフィルタの時定数が比較的大きくなる。このため、これらフィルタを構成する部品サイズも大きくなり、結果として装置を小型化できないという問題点があった。
【０００６】
本発明はこのような課題を解決するためのものであり、低速送受信信号を用いてデータ通信を行う場合でも、装置を小型化できる電源重畳通信技術を提供することを目的としている。
【課題を解決するための手段】
【０００７】
このような目的を達成するために、本発明にかかる電源重畳通信システムは、複数の子機へ動作電源を供給する電源供給線に送受信信号を重畳することにより、親機と前記複数の子機との間でデータ通信を行う電源重畳通信システムであって、前記親機と前記電源供給線との間に接続されて、外部から入力された外部電源から前記動作電源を生成し、前記電源供給線へ供給する給電回路を含む給電機器と、前記複数の子機のそれぞれと前記電源供給線との間に接続されて、前記電源供給線から前記動作電源を受電して自己と対応する対応子機の子機電源を生成して出力する受電回路を含む受電機器とを備え、前記給電機器は、前記親機から出力された低速送信信号を高周波で変調送信信号に変調して出力する変調回路と、前記変調送信信号を前記電源供給線に重畳するとともに、前記電源供給線に重畳されている変調受信信号を分離して出力する重畳・分離回路と、前記変調送信信号を低速受信信号に復調して前記親機へ出力する復調回路とをさらに含み、前記受電機器は、前記対応子機から出力された低速送信信号を高周波で変調送信信号に変調して出力する変調回路と、前記変調送信信号を前記電源供給線に重畳するとともに、前記電源供給線に重畳されている変調受信信号を分離して出力する重畳・分離回路と、前記変調送信信号を低速受信信号に復調して前記対応子機へ出力する復調回路とをさらに含むものである。
【０００８】
また、本発明にかかる通信機器は、複数の子機へ動作電源を供給する電源供給線に送受信信号を重畳することにより、親機と前記複数の子機との間でデータ通信を行う電源重畳通信システムで、これら親機および子機からなる通信装置のそれぞれと前記電源供給線との間に接続される通信機器であって、前記通信装置から出力された低速送信信号を高周波で変調送信信号に変調して出力する変調回路と、前記変調送信信号を前記電源供給線に重畳するとともに、前記電源供給線に重畳されている変調受信信号を分離して出力する重畳・分離回路と、前記変調受信信号を低速受信信号に復調して前記通信装置へ出力する復調回路とを備えている。
【０００９】
また、本発明にかかる通信装置は、複数の子機へ動作電源を供給する電源供給線に送受信信号を重畳することにより、親機と前記複数の子機との間でデータ通信を行う電源重畳通信システムで、前記子機として用いられる通信装置であって、前記親機へ送信する低速送信信号を高周波で変調送信信号に変調して出力する変調回路と、前記変調送信信号を前記電源供給線に重畳するとともに、前記電源供給線に重畳されている変調受信信号を分離して出力する重畳・分離回路と、前記変調受信信号を低速受信信号に復調して出力する復調回路とを備えている。
【発明の効果】
【００１０】
本発明によれば、例えばＢＡＣｎｅｔ  ＭＳ／ＴＰのような比較的低い通信速度の低速送受信信号を送受信する場合であっても、実際には高周波変調された高周波送受信信号が電源供給線に重畳されることになる。このため、電源供給線に対して信号を重畳・分離する際に必要となる回路部品の時定数を、比較的小さく抑えることができる。したがって、親機や子機が低速送受信信号を用いてデータ通信を行う汎用の通信装置であっても、給電アダプタや受電アダプタを小型化することが可能となる。
【図面の簡単な説明】
【００１１】
【図１】電源重畳通信システムの構成を示すブロック図である。
【図２】給電アダプタの構成を示すブロック図である。
【図３】受電アダプタの構成を示すブロック図である。
【図４】電源重畳通信システムの動作を示す説明図である。
【図５】電源重畳通信システムの他の構成を示すブロック図である。
【発明を実施するための形態】
【００１２】
次に、本発明の一実施の形態について図面を参照して説明する。
［電源重畳通信システム］
まず、図１を参照して、本実施の形態にかかる電源重畳通信システム１について説明する。図１は、電源重畳通信システムの構成を示すブロック図である。
【００１３】
この電源重畳通信システム１は、電源供給線Ｌと、１つの親機３１および複数の子機３２と、給電アダプタ１０および複数の受電アダプタ２０とを備えている。以下では、親機３１および子機３２は通信装置に相当し、給電アダプタ１０および複数の受電アダプタ２０は通信機器に相当するものとする。また、給電アダプタ１０は給電機器に相当し、受電アダプタ２０は受電機器に相当するものとする。
【００１４】
親機３１および子機３２は、全体として産業用コントローラなどの制御装置からなり、低速の通信信号を用いて相互にデータ通信を行う通信装置である。
電源供給線Ｌは、２芯の配線ケーブルからなり、これら親機３１と子機３２との間におけるデータ通信や、子機３２への動作電源ＰＭの供給を行うための配線であり、電源供給線Ｌの両端には、終端回路Ｒｔが接続されている。
【００１５】
給電アダプタ１０は、全体として親機３１と電源供給線Ｌとの間に接続される通信機器（給電機器：モデム）からなり、外部から入力された外部電源ＰＷから子機３２への動作電源ＰＭを生成し、電源供給線Ｌを介して各子機３２へ給電する機能と、親機３１から送信された低速送信信号Ｔｘを高周波で変調し、得られた変調送信信号Ｔｍを電源供給線Ｌに重畳して子機３２へ送信する機能と、電源供給線Ｌに重畳されている子機３２からの変調受信信号Ｒｍを復調し、得られた低速受信信号Ｒｘを親機３１へ出力する機能とを有している。
【００１６】
受電アダプタ２０は、全体として各子機３２と電源供給線Ｌとの間に接続される通信機器（受電機器：モデム）からなり、電源供給線Ｌを介して給電アダプタ１０から供給された動作電源ＰＭから子機電源ＰＳを生成して子機３２へ供給する機能と、子機３２から送信された低速送信信号Ｔｘを高周波で変調し、得られた変調送信信号Ｔｍを電源供給線Ｌに重畳して親機３１へ送信する機能と、電源供給線Ｌに重畳されている親機３１からの変調受信信号Ｒｍを高周波で復調し、得られた低速受信信号Ｒｘを子機３２へ出力する機能とを有している。
【００１７】
［給電アダプタ］
次に、図２を参照して、本実施の形態にかかる給電アダプタ１０について説明する。図２は、給電アダプタの構成を示すブロック図である。
給電アダプタ１０は、主な回路部として、給電回路１１、重畳・分離回路１２、高周波発振回路１３、変調回路１４、差動ドライバ１５、差動レシーバ１６、および復調回路１７を備えている。
【００１８】
給電回路１１は、外部から入力された商用電源などの外部電源ＰＷを変圧することにより、直流または交流の動作電源ＰＭを生成し、出力端子Ｖ１Ａ，Ｖ１Ｂから出力する機能を有している。
【００１９】
重畳・分離回路１２は、ローパスフィルタＬＰＦ１とハイパスフィルタＨＰＦ１とを備えている。
ＬＰＦ１は、給電回路１１からの動作電源ＰＭを電源供給線Ｌへ供給する機能と、電源供給線Ｌに重畳されている高周波成分が給電回路１１へ漏えいするのを遮断する機能とを有している。このＬＰＦ１は、例えば、出力端子Ｖ１Ａ，Ｖ１Ｂと電源供給線Ｌが接続される接続端子Ｔ１Ａ，Ｔ１Ｂとの間にそれぞれ接続された２つのコイルＬ１Ａ，Ｌ１Ｂから構成されている。
【００２０】
ＨＰＦ１は、電源供給線Ｌの動作電源ＰＭが差動ドライバ１５および差動レシーバ１６へ印加されるのを遮断する機能と、差動ドライバ１５からの変調送信信号Ｔｍを電源供給線Ｌに重畳する機能と、電源供給線Ｌに重畳されている変調受信信号Ｒｍを分離して差動レシーバ１６へ出力する機能とを有している。このＨＰＦ１は、例えば、１次側巻線が差動ドライバ１５の出力端子および差動レシーバ１６の入力端子に並列的に接続され、２次側巻線がコンデンサＣ１Ａ，Ｃ１Ｂを介して接続端子Ｔ１Ａ，Ｔ１Ｂに接続された絶縁トランスＴ１から構成されている。
【００２１】
高周波発振回路１３は、低速送信信号Ｔｘの変調に用いる搬送波となる高周波信号Ｈｘを、例えは１０ＭＨｚ程度の一定周波数で発振して出力する機能を有している。この高周波発振回路１３は、例えば、水晶発振子Ｘ、インバータＩＮＶ、およびコンデンサＣを用いた一般的な水晶発振回路から構成されている。
変調回路１４は、高周波発振回路１３からの高周波信号Ｈｘに基づいて、親機３１からの低速送信信号Ｔｘを、例えばＦＥＴなどのスイッチング素子Ｑ１により変調処理し、得られた変調送信信号Ｔｍを差動ドライバ１５へ出力する機能を有している。
【００２２】
差動ドライバ１５は、変調回路１４からの変調送信信号Ｔｍを、例えばＲＳ４８５用のドライバ回路ＤＤ１により重畳・分離回路１２へ出力する機能を有している。
差動レシーバ１６は、重畳・分離回路１２からの変調受信信号Ｒｍを、例えばＲＳ４８５用のレシーバ回路ＤＲ１により復調回路１７へ出力する機能を有している。
【００２３】
復調回路１７は、差動レシーバ１６からの変調受信信号Ｒｍを復調し、得られた低速受信信号Ｒｘを親機３１へ出力する機能を有している。この復調回路１７は、例えば、差動レシーバ１６からの変調受信信号Ｒｍを整流するダイオードＤ１と、ダイオードＤ１の出力を所定の高周波成分に応じた時定数を有するコンデンサＣ１と抵抗素子Ｒ１で平滑化する平滑回路ＳＭ１と、平滑回路ＳＭ１の出力Ｒｉ１を基準電位Ｖｒｅｆと比較することにより得られた低速受信信号Ｒｘを親機３１へ出力するコンパレータＣＭＰ１から構成されている。
【００２４】
［受電アダプタ］
次に、図３を参照して、本実施の形態にかかる受電アダプタ２０について説明する。。図３は、受電アダプタの構成を示すブロック図である。
受電アダプタ２０は、主な回路部として、重畳・分離回路２１、受電回路２２、高周波発振回路２３、変調回路２４、差動ドライバ２５、差動レシーバ２６、および復調回路２７を備えている。
【００２５】
重畳・分離回路２１は、ローパスフィルタＬＰＦ２とハイパスフィルタＨＰＦ２とを備えている。
ＬＰＦ２は、電源供給線Ｌからの動作電源ＰＭを受電回路２２へ供給する機能と、電源供給線Ｌに重畳されている高周波成分が受電回路２２へ漏えいするのを遮断する機能を有している。このＬＰＦ２は、例えば、電源供給線Ｌが接続される接続端子Ｔ２Ａ，Ｔ２Ｂと受電回路２２の入力端子Ｖ２Ａ，Ｖ２Ｂとの間にそれぞれ接続された２つのコイルＬ２Ａ，Ｌ２Ｂから構成されている。
【００２６】
ＨＰＦ２は、電源供給線Ｌの動作電源ＰＭが差動ドライバ２５および差動レシーバ２６へ印加されるのを遮断する機能と、差動ドライバ２５からの変調送信信号Ｔｍを電源供給線Ｌに重畳する機能と、電源供給線Ｌに重畳されている変調受信信号Ｒｍを分離して差動レシーバ２６へ出力する機能とを有している。このＨＰＦ２は、例えば、１次側巻線が差動ドライバ２５の出力端子および差動レシーバ２６の入力端子に並列的に接続され、２次側巻線がコンデンサＣ２Ａ，Ｃ２Ｂを介して接続端子Ｔ２Ａ，Ｔ２Ｂに接続された絶縁トランスＴ２から構成されている。
【００２７】
受電回路２２は、ＬＰＦ２から供給された動作電源ＰＭを安定化することにより、直流の子機電源ＰＳを生成し、子機３２へ供給する機能を有している。
【００２８】
高周波発振回路２３は、低速送信信号Ｔｘの変調に用いる搬送波となる高周波信号Ｈｘを、例えは１０ＭＨｚ程度の一定周波数で発振して出力する機能を有している。この高周波発振回路２３は、例えば、水晶発振子Ｘ、インバータＩＮＶ、およびコンデンサＣを用いた一般的な水晶発振回路から構成されている。
変調回路２４は、高周波発振回路２３からの高周波信号Ｈｘに基づいて、子機３２からの低速送信信号Ｔｘを、例えばＦＥＴなどのスイッチング素子Ｑ２により変調処理し、得られた変調送信信号Ｔｍを差動ドライバ２５へ出力する機能を有している。
【００２９】
差動ドライバ２５は、変調回路２４からの変調送信信号Ｔｍを、例えばＲＳ４８５用のドライバ回路ＤＤ２により重畳・分離回路２１へ出力する機能を有している。
差動レシーバ２６は、重畳・分離回路２１からの変調受信信号Ｒｍを、例えばＲＳ４８５用のレシーバ回路ＤＲ２により復調回路２７へ出力する機能を有している。
【００３０】
復調回路２７は、差動レシーバ２６からの変調受信信号Ｒｍを復調し、得られた低速受信信号Ｒｘを子機３２へ出力する機能を有している。この復調回路２７は、例えば、差動レシーバ２６からの変調受信信号Ｒｍを整流するダイオードＤ２と、ダイオードＤ２の出力を所定の高周波成分に応じた時定数を有するコンデンサＣ２と抵抗素子Ｒ２で平滑化する平滑回路ＳＭ２と、平滑回路ＳＭ２の出力Ｒｉ２を基準電位Ｖｒｅｆと比較することにより得られた低速受信信号Ｒｘを子機３２へ出力するコンパレータＣＭＰ２から構成されている。
【００３１】
［本実施の形態の動作］
次に、前述した図１〜図３と図４とを参照して、本実施の形態にかかる電源重畳通信システム１の動作について説明する。図４は、電源重畳通信システムの動作を示す説明図である。ここでは、図４に示すように、電源重畳通信システム１において、１つの親機３１が給電アダプタ１０を介して電源供給線Ｌに接続されており、複数の子機３２Ａ，３２Ｂ，…，３２Ｎが受電アダプタ２０を介して電源供給線Ｌに接続されている場合を例に説明する。
【００３２】
給電アダプタ１０は、外部から入力された外部電源ＰＷから動作電源ＰＭを給電回路１１で生成し、重畳・分離回路１２から電源供給線Ｌを介して各受電アダプタ２０Ａ，２０Ｂ，…，２０Ｎへ供給する。なお、親機３１は、外部電源ＰＷにより動作するものとして説明するが、給電アダプタ１０でＰＷから生成された動作電源ＰＰを親機３１に供給するようにしてもよい。
【００３３】
一方、各受電アダプタ２０Ａ，２０Ｂ，…，２０Ｎは、電源供給線Ｌを介して給電アダプタ１０から供給された動作電源ＰＭを、重畳・分離回路２１を介して受電回路２２で受電し、動作電源ＰＭからそれぞれ対応する子機３２Ａ，３２Ｂ，…，３２Ｎの子機電源ＰＳを生成し、それぞれ対応する子機３２Ａ，３２Ｂ，…，３２Ｎへ供給する。これにより、各子機３２Ａ，３２Ｂ，…，３２Ｎは子機電源ＰＳで動作して、電源供給線Ｌを介した親機３１とのデータ通信を行う。
【００３４】
また、給電アダプタ１０は、親機３１から出力された低速送信信号Ｔｘを受け取って、変調回路１４で高周波発振回路１３からの高周波信号Ｈｘにより変調し、得られた変調送信信号Ｔｍを、差動ドライバ１５から重畳・分離回路１２を介して電源供給線Ｌに重畳する。
【００３５】
一方、受電アダプタ２０Ａ，２０Ｂ，…，２０Ｎは、電源供給線Ｌに重畳されている変調受信信号Ｒｍを、重畳・分離回路２１により分離して差動レシーバ２６で受信し、復調回路２７で低速受信信号Ｒｘに復調した後、それぞれ対応する子機３２Ａ，３２Ｂ，…，３２Ｎへ出力する。
【００３６】
また、受電アダプタ２０Ａ，２０Ｂ，…，２０Ｎは、それぞれ対応する子機３２Ａ，３２Ｂ，…，３２Ｎから出力された低速送信信号Ｔｘを受け取って、変調回路２４で高周波発振回路２３からの高周波信号Ｈｘにより変調し、得られた変調送信信号Ｔｍを、差動ドライバ２５から重畳・分離回路２１を介して電源供給線Ｌに重畳する。
【００３７】
一方、給電アダプタ１０は、電源供給線Ｌに重畳されている変調受信信号Ｒｍを、重畳・分離回路１２で分離して差動レシーバ１６で受信し、復調回路１７で低速受信信号Ｒｘに復調した後、親機３１へ出力する。
【００３８】
これにより、本来、親機３１と子機３２Ａ，３２Ｂ，…，３２Ｎとの間で、データ通信される低速送信信号Ｔｘおよび低速受信信号Ｒｘが、高周波信号Ｈｘで変調送信信号Ｔｍおよび変調受信信号Ｒｍに変調されて、電源供給線Ｌに重畳されることになる。
【００３９】
図５は、電源重畳通信システムの他の構成を示すブロック図である。
図１および図４では、受電アダプタ２０Ａ，２０Ｂ，…，２０Ｎが子機３２Ａ，３２Ｂ，…，３２Ｎと電源供給線Ｌとの間に接続される構成を例として説明したが、これに限定されるものではない。例えば、図５に示すように、受電アダプタ２０Ａ，２０Ｂ，…，２０Ｎが子機３２Ａ，３２Ｂ，…，３２Ｎの内部に実装されている構成であってもよい。
【００４０】
［本実施の形態の効果］
このように、本実施の形態は、給電アダプタ１０が、親機３１から出力された低速送信信号Ｔｘを高周波で変調送信信号Ｔｍに変調して電源供給線Ｌに重畳し、電源供給線Ｌに重畳されている変調受信信号Ｒｍを分離して低速受信信号Ｒｘに復調し、親機３１へ出力するようにしたものである。また、受電アダプタ２０が、対応子機３２から出力された低速送信信号Ｔｘを高周波で変調送信信号Ｔｍに変調して電源供給線Ｌに重畳し、電源供給線Ｌに重畳されている変調受信信号Ｒｍを分離して低速受信信号Ｒｘに復調し、対応子機３２へ出力するようにしたものである。
【００４１】
これにより、例えばＢＡＣｎｅｔ  ＭＳ／ＴＰの場合のような７６．８ｋｂｐｓ程度の、比較的低い通信速度の低速送受信信号を送受信する場合であっても、実際には高周波変調された高周波送受信信号が電源供給線Ｌに重畳されることになる。このため、電源供給線Ｌに対して信号を重畳・分離する際に必要となる回路部品の時定数、例えば、ＬＰＦ１のＬ１Ａ，Ｌ１ＢやＬＰＦ２のＬ２Ａ，Ｌ２Ｂ、およびＨＰ１のＣ１Ａ，Ｃ１ＢやＨＰ２のＣ２Ａ，Ｃ２Ｂなどの回路部品に関する時定数を、比較的小さく抑えることができる。
したがって、親機３１や子機３２が、例えばＢＡＣｎｅｔ  ＭＳ／ＴＰなど、低速送受信信号を用いてデータ通信を行う汎用の通信装置であっても、給電アダプタ１０や受電アダプタ２０を小型化することが可能となる。
【００４２】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。
【符号の説明】
【００４３】
１…電源重畳通信システム、１０…給電アダプタ、１１…給電回路、１２…重畳・分離回路、１３…高周波発振回路、１４…変調回路、１５…差動ドライバ、１６…差動レシーバ、１７…復調回路、２０…受電アダプタ、２１…重畳・分離回路、２２…受電回路、２３…高周波発振回路、２４…変調回路、２５…差動ドライバ、２６…差動レシーバ、２７…復調回路、３１…親機、３２…子機、Ｔｘ…低速送信信号、Ｒｘ…低速受信信号、Ｈｘ…高周波信号、Ｔｍ…変調送信信号、Ｒｍ…変調受信信号、ＰＷ…外部電源、ＰＭ…動作電源、ＰＳ…子機電源。
【図１】
2019118011.tif 000003
【図２】
2019118011.tif 000004
【図３】
2019118011.tif 000005
【図４】
2019118011.tif 000006
【図５】
2019118011.tif 000007